(57)【要約】      （修正有）【課題】口唇を矯正的に閉鎖させることにより、日常生活の中で鼻呼吸と口唇閉鎖を積極的に促すと共に、口輪筋を鍛えて左右のバランスのとれた立体感のある顔に成長させる口唇閉鎖矯正具を提供する。【解決手段】上唇と下唇との間に挟んで口唇閉鎖を矯正するための口唇閉鎖矯正具１０であって、口裂において上唇と下唇に保持されうる口裂保持部１４を有し、口裂保持部には、口裂保持部を所定位置にガイドしうるガイド部１５が設けられている。【選択図】図１
0003122614.tif 000002
【実用新案登録請求の範囲】
【請求項１】
上唇と下唇との間に挟んで口唇閉鎖を矯正するための口唇閉鎖矯正具であって、
口裂において上唇と下唇に保持されうる口裂保持部を有し、
上記口裂保持部には、上記口裂保持部を所定位置にガイドしうるガイド部が設けられていることを特徴とする口唇閉鎖矯正具。
【請求項２】
上記ガイド部は、上顎左右中切歯間の正中部に当接しうるように構成されていることを特徴とする請求項１記載の口唇閉鎖矯正具。
【請求項３】
上記ガイド部は、断面略三角形状に形成されると共に、上記口裂保持部の左右方向略中央部に設けられ、
上記ガイド部における尖鋭部が、上顎左右中切歯間の正中部と係合しうるように構成されていることを特徴とする請求項１及び２記載の口唇閉鎖矯正具。
【請求項４】
上記口裂保持部は、板状に形成され、両面部が口裂において上唇と下唇に保持されうるように構成されていることを特徴とする請求項１〜３記載の口唇閉鎖矯正具。
【請求項５】
上記口裂保持部には、厚さ方向に貫通した貫通開口部が設けられていることを特徴とする請求項４記載の口唇閉鎖矯正具。
【請求項６】
上記口裂保持部には、口唇の外面と当接しうる赤唇縁当接部が設けられ、
上記赤唇縁当接部は、上記口裂保持部の保持状態が解除された場合に前方に脱落しうるように構成されていることを特徴とする請求項１〜５記載の口唇閉鎖矯正具。
【請求項７】
上記赤唇縁当接部は、板状に形成されると共に、一方面が口唇の外面と当接しうるように構成され、
上記赤唇縁当接部には、厚さ方向に貫通した貫通小径孔部が設けられていることを特徴とする請求項６記載の口唇閉鎖矯正具。
【請求項８】
上記口裂保持部には、上記口裂保持部が保持された状態で上唇側の粘膜に当接しうる上唇側粘膜当接部が設けられていることを特徴とする請求項１〜７記載の口唇閉鎖矯正具。
【請求項９】
上記上唇側粘膜当接部は、上記口裂保持部の後端部において上方に突出して設けられていることを特徴とする請求項８記載の口唇閉鎖矯正具。
【請求項１０】
上記上唇側粘膜当接部は、歯列に合わせて湾曲して形成されていることを特徴とする請求項８及び９記載の口唇閉鎖矯正具。
【請求項１１】
上記口唇閉鎖矯正具は、合成樹脂製であることを特徴とする請求項１〜１０記載の口唇閉鎖矯正具。
【考案の詳細な説明】
【技術分野】
【０００１】
本考案は、口唇閉鎖を矯正するための口唇閉鎖矯正具に係り、特に、上唇と下唇との間に挟んで口唇閉鎖を矯正するための口唇閉鎖矯正具に関するものである。
【背景技術】
【０００２】
一般に、呼吸をする際には、口腔を介して呼吸する口呼吸よりも鼻腔を介して呼吸する鼻呼吸の方が望ましいことが知られている。
これは、加温、加湿、防塵、抗菌、抗アレルギーの機能が鼻に備えられているためであり、鼻腔経由で吸気することにより、呼吸器系の粘膜を保護することができる。
【０００３】
しかしながら、日常的に鼻呼吸を行っている場合であっても、種々の障害により鼻呼吸が妨げられることにより、口呼吸が開始される。
このように口呼吸が開始されて口からの吸気が常態化した場合には、口腔や咽頭部の器質的、機能的な問題が生じ、粘膜の乾燥や気道感染を招きやすいばかりでなく、口腔周囲筋や舌の機能異常が生じやすくなる。
また、口が常に呼吸経路として働いている場合には、上下の口唇及び歯列は常時離間した状態となり、その結果として、安静時における口輪筋や頬筋の弛緩が生じ、舌が口蓋との間に空隙を作るために低位化しやすくなる。
さらに、口呼吸の常態化により、口唇を閉じないまま咀嚼する習慣が身についてしまった場合には、咀嚼機能が不全となり、クチャクチャ音を発しての咀嚼や、咀嚼後に食物が口腔内に残留する等の事態が生じる。
このような問題が発育期の小児において長期化することで、歯列・咬合や顎顔面の発育にまで影響が及びやすくなる。
また、習慣性の口唇閉鎖不全と口呼吸により、歯面や粘膜面の乾燥を高めて、前歯部の高度なプラーク付着や歯肉炎を生じやすくする。
【０００４】
口呼吸が開始される種々の障害としては、アレルギーや鼻疾患等による通気障害がもたらす鼻性口呼吸と、口腔の形態的な異常（著しい上・下顎の前突や開咬等）による口唇閉鎖困難がもたらす歯性口呼吸と、両者の原因が改善しても習慣として残る習慣性口呼吸が挙げられる。
これらの障害のうち、鼻性口呼吸の場合には、薬物によるコントロールや外科的処置による対応が必要となり、歯性口呼吸の場合には、外科的あるいは矯正的処置による形態改善が必要となる。
その一方で、習慣性口呼吸の場合にあっては、口腔習癖の関与が大きく、日常生活の中で鼻呼吸と口唇閉鎖を促すような対応が必要である。
したがって、口唇閉鎖の矯正を行うには、口裂において上唇と下唇で物を挟むことにより、物を落とさないように意識的に口裂を閉鎖させ、口唇閉鎖の習慣をつけると共に、口唇の周囲の筋肉である口輪筋を鍛える必要がある。
【０００５】
このような口唇閉鎖を矯正する器具は、これまでに存在しなかったため、従来から、はがき等の紙類やゼムクリップを使用し、これらを口裂において上唇と下唇で挟むことにより口唇閉鎖を矯正していた。
しかしながら、口唇閉鎖を矯正するための口輪筋の鍛錬は、口裂の左右方向中央位置を基準として行う必要があるが、従来の矯正具には中央位置にガイドするような部材が設けられていない。
そのため、中央位置からずれた位置で矯正を行った場合には、口輪筋の筋力が偏ってしまい、左右対称の顔貌を維持することができないため、効果的に矯正を行うことができない。
また、口唇の左右に接着テープを貼り、口裂の閉鎖状態を強制的に維持させる矯正も行われているが、接着テープの反復使用により接着剤の粘着力が低下してしまうという不具合があった。
さらに、ゼムクリップを使用した場合には金属アレルギーを引き起こし、接着テープを使用した場合には接着剤によるアレルギーを引き起こす可能性があった。
【考案の開示】
【考案が解決しようとする課題】
【０００６】
そこで、本考案の課題は、口唇を矯正的に閉鎖させることにより、日常生活の中で鼻呼吸と口唇閉鎖を積極的に促すと共に、口輪筋を鍛えて左右のバランスのとれた立体感のある顔に成長させる口唇閉鎖矯正具を提供することにある。
【課題を解決するための手段】
【０００７】
上記目的を達成するために、請求項１記載の考案は、上唇と下唇との間に挟んで口唇閉鎖を矯正するための口唇閉鎖矯正具であって、口裂において上唇と下唇に保持されうる口裂保持部を有し、上記口裂保持部には、上記口裂保持部を所定位置にガイドしうるガイド部が設けられている。
【０００８】
即ち、請求項１記載の本考案に係る口唇閉鎖矯正具にあっては、口裂保持部を口裂における所定位置において保持することができるように構成されている。
【０００９】
また、請求項２記載の考案は、上記ガイド部は、上顎左右中切歯間の正中部に当接しうるように構成されている。
【００１０】
また、請求項３記載の考案は、上記ガイド部は、断面略三角形状に形成されると共に、上記口裂保持部の左右方向略中央部に設けられ、上記ガイド部における尖鋭部が、上顎左右中切歯間の正中部と係合しうるように構成されている。
【００１１】
即ち、請求項２及び３記載の本考案に係る口唇閉鎖矯正具にあっては、ガイド部が口裂保持部を口裂の正中部にガイドするように構成されている。
【００１２】
また、請求項４記載の考案は、上記口裂保持部は、板状に形成され、両面部が口裂において上唇と下唇に保持されうるように構成されている。
【００１３】
即ち、請求項４記載の本考案に係る口唇閉鎖矯正具にあっては、口裂保持部を口唇閉鎖に近い状態で保持することができるように構成されている。
【００１４】
また、請求項５記載の考案は、上記口裂保持部には、厚さ方向に貫通した貫通開口部が設けられている。
【００１５】
即ち、請求項５記載の本考案に係る口唇閉鎖矯正具にあっては、口裂保持部を上唇と下唇により保持した場合に、上唇と下唇が貫通開口部を介して互いに当接しうるように構成されている。
【００１６】
また、請求項６記載の考案は、上記口裂保持部には、口唇の外面と当接しうる赤唇縁当接部が設けられ、上記赤唇縁当接部は、上記口裂保持部の保持状態が解除された場合に前方に脱落しうるように構成されている。
【００１７】
即ち、請求項６記載の本考案に係る口唇閉鎖矯正具にあっては、赤唇縁当接部が、口裂保持部の後方への移動を阻止することができるように構成されている。
【００１８】
また、請求項７記載の考案は、上記赤唇縁当接部は、板状に形成されると共に、一方面が口唇の外面と当接しうるように構成され、上記赤唇縁当接部には、厚さ方向に貫通した貫通小径孔部が設けられている。
【００１９】
また、請求項８記載の考案は、上記口裂保持部には、上記口裂保持部が保持された状態で上唇側の粘膜に当接しうる上唇側粘膜当接部が設けられている。
【００２０】
また、請求項９記載の考案は、上記上唇側粘膜当接部は、上記口裂保持部の後端部において上方に突出して設けられている。
【００２１】
即ち、請求項８及び９記載の本考案に係る口唇閉鎖矯正具にあっては、上唇側粘膜当接部が、口裂保持部を上唇と下唇により保持した場合に、上唇側粘膜当接部により上唇側の粘膜に刺激を与えることができるように構成されている。
【００２２】
また、請求項１０記載の考案は、上記上唇側粘膜当接部は、歯列に合わせて湾曲して形成されている。
【００２３】
また、請求項１１記載の考案は、上記口唇閉鎖矯正具は、合成樹脂製である。
【考案の効果】
【００２４】
請求項１記載の本考案に係る口唇閉鎖矯正具は、口裂において上唇と下唇に保持されうる口裂保持部が設けられていることから、口裂保持部を上唇と下唇との間に挟んで意識的に口裂を閉鎖させることにより、口唇の閉鎖状態を矯正することができる。
また、口裂保持部を所定位置にガイドしうるガイド部が設けられていることから、口裂保持部を口裂における所定位置において保持することができるため、所定位置の口輪筋を鍛えて左右のバランスのとれた立体感のある顔に成長させることができる。
【００２５】
また、請求項２及び３記載の本考案に係る口唇閉鎖矯正具は、ガイド部を上顎左右中切歯間の正中部に当接させることにより、口裂保持部を口裂の正中部にガイドするように構成されていることから、左右の口輪筋を均等に鍛えることができるため、左右対称の顔に成長させることができる。
また、ガイド部の尖鋭部が上顎左右中切歯間の正中部と係合しうるように構成されていることから、使用時における左右方向への移動を阻止することができる。
したがって、長時間使用した場合であっても、容易にかつ確実に、口輪筋を左右対称となるように鍛えて口唇の閉鎖状態を矯正することができる。
【００２６】
また、請求項４記載の本考案に係る口唇閉鎖矯正具は、口裂保持部が板状に形成され、両面部が口裂において上唇と下唇に保持されうるように構成されていることから、口裂保持部を口唇閉鎖に近い状態で保持することができるため、口裂保持部を取り外した場合に口唇閉鎖を違和感無く行うことができる。
したがって、矯正が終了して口裂保持部を取り外した後でも、違和感無く口唇閉鎖状態を維持できるようになるため、効果的に口唇の閉鎖状態を矯正することができる。
【００２７】
また、請求項５記載の本考案に係る口唇閉鎖矯正具は、口裂保持部に厚さ方向に貫通した貫通開口部が設けられていることから、口裂保持部を上唇と下唇により保持した場合に、上唇と下唇が貫通開口部を介して互いに当接することができる。
口輪筋には、中枢系と抹消系の運動支配が存在し、抹消系の運動支配を行うためには、意識的に上唇と下唇を当接させて、上唇と下唇が接触している状態を知覚させる必要がある。
したがって、口唇閉鎖時において上唇と下唇を意識的に当接させることにより、矯正具を取り外した場合の口唇の閉鎖状態を実感できるため、より効果的に口唇の閉鎖状態を矯正することができる。
【００２８】
また、請求項６記載の本考案に係る口唇閉鎖矯正具は、口裂保持部に口唇の外面と当接しうる赤唇縁当接部が設けられていることから、口裂保持部の後方への移動を阻止することができるため、口唇閉鎖矯正具を誤って飲み込むことがなくなる。
したがって、物を飲み込みやすい発育期の小児が使用した場合であっても、口唇の閉鎖状態を安全に矯正することができる。
また、赤唇縁当接部が口裂保持部の保持状態が解除された場合に前方に脱落しうるように構成されていることから、少しでも口唇の閉鎖状態を緩めると口唇から脱落してしまう。
したがって、緊張状態を保ちつつ口唇閉鎖を意識的に行うことができるようになるため、口唇の閉鎖状態を確実に矯正することができる。
【００２９】
また、請求項７記載の本考案に係る口唇閉鎖矯正具は、赤唇縁当接部に貫通小径孔部が設けられていることから、貫通小径孔部に錘等を取り付けて使用することにより、口輪筋をさらに強化することができる。
さらに、貫通小径孔部に紐を通して使用することにより、口唇閉鎖矯正具を誤って飲み込む事態を確実に回避することができる。
【００３０】
また、請求項８及び９記載の本考案に係る口唇閉鎖矯正具は、口裂保持部を上唇と下唇により保持した場合に、上唇側粘膜当接部により上唇側の粘膜に刺激を与えることができるように構成されている。
口輪筋には、中枢系と抹消系の運動支配が存在し、中枢系の運動支配を行うためには、上唇側の粘膜に刺激を与える必要がある。
したがって、口唇閉鎖時に上唇側の粘膜に刺激を与えることにより、中枢系の運動支配を行うことができるため、口唇の閉鎖状態を効果的に矯正することができる。
【００３１】
また、請求項１０記載の本考案に係る口唇閉鎖矯正具は、上唇側粘膜当接部が歯列に合わせて湾曲して形成されていることから、口裂保持部を上唇と下唇により保持した状態で、上唇側粘膜当接部が歯列と口唇の間に配置された場合であっても、違和感無く長期間使用することができる。
【００３２】
また、請求項１１記載の本考案に係る口唇閉鎖矯正具は、合成樹脂製であることから、口唇閉鎖矯正具を口腔内で使用した場合であっても、金属アレルギーや接着剤によるアレルギーを引き起こすことがなくなる。
【考案を実施するための最良の形態】
【００３３】
以下、図面を用いて本考案を実施するための最良の形態について説明する。
本実施の形態に係る口唇閉鎖矯正具１０は、図１及び図６に示すように、上唇１１と下唇１２との間に挟んで口唇閉鎖を矯正するための口唇閉鎖矯正具１０であり、口裂１３において上唇１１と下唇１２に保持されうる口裂保持部１４を有し、上記口裂保持部１４には、上記口裂保持部１４を所定位置にガイドしうるガイド部１５が設けられている。
【００３４】
また、上記ガイド部１５は、図７に示すように、上顎左右中切歯１６，１６間の正中部１７に当接しうるように構成されている。
【００３５】
また、上記ガイド部１５は、図１、図２、図７に示すように、断面略三角形状に形成されると共に、上記口裂保持部１４の左右方向略中央部に設けられ、上記ガイド部１５における尖鋭部１８が、上顎左右中切歯１６，１６間の正中部１７と係合しうるように構成されている。
【００３６】
また、上記口裂保持部１４は、図１、図３、図６に示すように、板状に形成され、両面部１９，２０が口裂１３において上唇１１と下唇１２に保持されうるように構成されている。
【００３７】
また、上記口裂保持部１４には、図１及び図２に示すように、厚さ方向に貫通した貫通開口部２１が設けられている。
【００３８】
また、上記口裂保持部１４には、図１及び図６に示すように、口唇の外面２２ａ，２２ｂと当接しうる赤唇縁当接部２３が設けられ、上記赤唇縁当接部２３は、上記口裂保持部１４の保持状態が解除された場合に前方に脱落しうるように構成されている。
【００３９】
また、上記赤唇縁当接部２３は、図１、図５、図６に示すように、板状に形成されると共に、一方面２４が口唇の外面２２ａ，２２ｂと当接しうるように構成され、上記赤唇縁当接部２３には、厚さ方向に貫通した貫通小径孔部２５が設けられている。
【００４０】
また、上記口裂保持部１４には、図１及び図６に示すように、上記口裂保持部１４が保持された状態で上唇１１側の粘膜２６に当接しうる上唇側粘膜当接部２７が設けられている。
【００４１】
また、上記上唇側粘膜当接部２７は、図３に示すように、上記口裂保持部１４の後端部２８において上方に突出して設けられている。
【００４２】
また、上記上唇側粘膜当接部２７は、図７に示すように、歯列２９に合わせて湾曲して形成されている。
【００４３】
また、上記口唇閉鎖矯正具１０は、合成樹脂製である。
【実施例１】
【００４４】
以下、図面を用いて本考案の実施例１に係る口唇閉鎖矯正具１０について説明する。
本実施例に係る口唇閉鎖矯正具１０は、図１及び図６に示すように、口裂１３において上唇１１と下唇１２に保持されうる口裂保持部１４と、口唇の外面２２ａ，２２ｂと当接しうる赤唇縁当接部２３と、上記口裂保持部１４が保持された状態で上唇１１側の粘膜２６に当接しうる上唇側粘膜当接部２７と、上記口裂保持部１４を所定位置にガイドしうるガイド部１５により構成されている。
また、上記唇閉鎖矯正具１０は、合成樹脂により一体成形され、前後方向における全体寸法Ｌ１は、図２に示すように、約１４．８９ｍｍである。
【００４５】
上記口裂保持部１４は、図１〜図３、図６に示すように、平面略長方形の板状に形成され、両面部１９，２０が口裂１３において上唇１１と下唇１２に保持されうるように構成されている。
また、上記口裂保持部１４は、図２、図３に示すように、左右方向寸法Ｌ２が、約１４．５ｍｍであり、厚さ寸法Ｌ３が、約１８ｍｍであり、先端部３０には上記赤唇縁当接部２３が設けられ、後端部２８に上唇側粘膜当接部２７が設けられている。
上記口裂保持部１４には、図１及び図２に示すように、厚さ方向に貫通した貫通開口部２１が設けられている。
上記貫通開口部２１は、図１、図２、図６に示すように、平面略楕円形状に形成され、口裂１３において口裂保持部１４を保持した際に、上唇１１と下唇１２が上記貫通開口部２１を介して互いに当接しうるように設けられている。
【００４６】
上記赤唇縁当接部２３は、図３、図４、図６に示すように、平面略楕円形の板状に形成され、口裂保持部１４が口裂１３において上唇１１と下唇１２に保持された場合に、裏面部２４が、上唇１１及び下唇１２の外面２２ａ，２２ｂと当接しうるように配置されている。
上記裏面部２４の上下方向略中央には、図３に示すように、上記口裂保持部１４が取り付けられている。
上記赤唇縁当接部２３は、図４に示すように、左右方向寸法Ｌ４が上記口裂保持部１４よりも大きい寸法で形成され、上記口裂保持部１４の保持状態が解除された場合に前方に脱落しうるように形成されている。
本実施例における上記赤唇縁当接部２３は、左右方向寸法Ｌ４が約３０ｍｍであり、上下方向寸法Ｌ５が、約１９ｍｍである。
また、上記赤唇縁当接部２３の厚さ寸法Ｌ６は、上記口裂保持部１４と同様に、約１８ｍｍである。
上記赤唇縁当接部２３の下部には、図４に示すように、厚さ方向に貫通した貫通小径孔部２５が設けられている。
上記貫通小径孔部２５は、紐を挿通しうる寸法で形成されている。
【００４７】
上記上唇側粘膜当接部２７は、図１及び図３に示すように、上記口裂保持部１４の後端部２８における左右方向全域に設けられ、上方に突出して形成されている。
本実施例における上唇側粘膜当接部２７は、図２及び図３に示すように、上下方向寸法Ｌ８が約３ｍｍであり、左右方向寸法Ｌ７が約１４．５ｍｍである。
上記上唇側粘膜当接部２７の縦断面形状は、図２及び図７に示すように、歯列２９に合わせて湾曲して形成されており、長さ方向両端部３１ａ，３１ｂが後方に突出する略円弧状に形成されている。
上記上唇側粘膜当接部２７の横断面形状は、図３に示すように、前方側面部３２が略円弧状となるように形成され、後方側面部３３が上下方向に沿って略直線状となるように形成されている。
【００４８】
上記ガイド部１５は、図２及び図７に示すように、断面略三角形状に形成されると共に、上記上唇側粘膜当接部２７の後方側面部３３の左右方向中央部に設けられ、上記ガイド部１４における尖鋭部１８が、上顎左右中切歯１６，１６間の正中部１７と係合しうるように構成されている。
また、上記ガイド部１５は、図１及び図２に示すように、上記上唇側粘膜当接部２７の後方側面部３３の上下方向全域に設けられ、前後方向及び左右方向の寸法Ｌ９，Ｌ１０が、それぞれ約１．２８ｍｍでである。
【００４９】
以下、本実施例の作用について、図５〜７を用いて説明する。
本実施例に係る口唇閉鎖矯正具１０を用いて口唇閉鎖を矯正する際には、口裂１３において上唇１１と下唇１２により口裂保持部１４を保持し、上記ガイド部１４における尖鋭部１８を上顎左右中切歯１６，１６間の正中部１７に係合させ、口唇閉鎖矯正具１０を口裂１３の正中部３５に配置した状態で使用する。
この場合、赤唇縁当接部２３は、上唇１１の外面２２ａ及び下唇１２の外面２２ｂに当接し、上唇側粘膜当接部２７は、口唇１１，１２と歯列２９の間（口腔前庭）において、歯列２９に当接すると共に、上唇１１側の粘膜２６に当接するように配置される。
また、貫通開口部２１は、上唇１１と下唇１２が互いに当接するように設けられている。
【００５０】
したがって、本実施例に係る口唇閉鎖矯正具１０は、口裂１３において上唇１１と下唇１２に保持されうる口裂保持部１４が設けられていることから、口裂保持部１４を上唇１１と下唇１２との間に挟んで意識的に口裂１３を閉鎖させることにより、口唇の閉鎖状態を矯正することができる。
【００５１】
また、ガイド部１５を上顎左右中切歯１６，１６間の正中部１７に当接させることにより、口裂保持部１４を口裂１３の正中部３５にガイドするように構成されていることから、左右の口輪筋を均等に鍛えることができる。
また、ガイド部１５の尖鋭部１８が上顎左右中切歯１６，１６間の正中部１７と係合しうるように構成されていることから、使用時における左右方向への移動を阻止することができる。
【００５２】
また、口裂保持部１４に口唇の外面２２ａ，２２ｂと当接しうる赤唇縁当接部２３が設けられていることから、口裂保持部１４の後方への移動を阻止することができる。
【００５３】
また、口裂保持部１４を上唇１１と下唇１２により保持した場合に、上唇１１と下唇１２が貫通開口部２１を介して互いに当接することができるように構成されていることから、口唇閉鎖時において上唇１１と下唇１２を意識的に当接させることにより、矯正具１０を取り外した場合の口唇の閉鎖状態を実感できる。
【産業上の利用可能性】
【００５４】
本考案は、主に口唇閉鎖を矯正するための口唇閉鎖矯正具に適用可能である。
【図面の簡単な説明】
【００５５】
【図１】本考案に係る口唇閉鎖矯正具の一実施の形態を示す斜視図である。
【図２】本考案に係る口唇閉鎖矯正具の一実施の形態を示す上面図である。
【図３】本考案に係る口唇閉鎖矯正具の一実施の形態を示す側面図である。
【図４】本考案に係る口唇閉鎖矯正具の一実施の形態を示す正面図である。
【図５】本考案に係る口唇閉鎖矯正具の一実施の形態を示し、口唇閉鎖矯正具の使用状態を示す正面図である。
【図６】本考案に係る口唇閉鎖矯正具の一実施の形態を示し、口唇閉鎖矯正具の使用状態を示す横断面図である。
【図７】本考案に係る口唇閉鎖矯正具の一実施の形態を示し、口唇閉鎖矯正具の使用状態を示す縦断面図である。
【符号の説明】
【００５６】
１０  口唇閉鎖矯正具
１１  上唇
１２  下唇
１３  口裂
１４  口裂保持部
１５  ガイド部
１６  中切歯
１７  左右中切歯間の正中部
１８  尖鋭部
１９  口裂保持部の上面部
２０  口裂保持部の下面部
２１  貫通開口部
２２ａ，２２ｂ  口唇の外面
２３  赤唇縁当接部
２４  赤唇縁当接部の裏面部
２５  貫通小径孔部
２６  上唇側の粘膜
２７  上唇側粘膜当接部
２８  口裂保持部の後端部
２９  歯列
３０  口裂保持部の先端部
３１ａ，３１ｂ  上唇側粘膜当接部の端部
３２  前方側面部
３３  後方側面部
３４  正中線
３５  口裂の正中部
Ｌ１  口唇閉鎖矯正具の前後方向寸法
Ｌ２  口裂保持部の左右方向寸法
Ｌ３  口裂保持部の厚さ寸法
Ｌ４  赤唇縁当接部の左右方向寸法
Ｌ５  赤唇縁当接部の上下方向寸法
Ｌ６  赤唇縁当接部厚さ寸法
Ｌ７  上唇側粘膜当接部の左右方向寸法
Ｌ８  上唇側粘膜当接部の上下方向寸法
Ｌ９  ガイド部の前後方向寸法
Ｌ１０  ガイド部の左右方向寸法
【図１】
0003122614.tif 000003
【図２】
0003122614.tif 000004
【図３】
0003122614.tif 000005
【図４】
0003122614.tif 000006
【図５】
0003122614.tif 000007
【図６】
0003122614.tif 000008
【図７】
0003122614.tif 000009
【手続補正書】
【提出日】平成18年3月31日(2006.3.31)
【手続補正１】
【補正対象書類名】実用新案登録請求の範囲
【補正対象項目名】全文
【補正方法】変更
【補正の内容】
【実用新案登録請求の範囲】
【請求項１】
上唇と下唇との間に挟んで口唇閉鎖を矯正するための口唇閉鎖矯正具であって、口裂において上唇と下唇に保持されうる口裂保持部を有し、上記口裂保持部には、上記口裂保持部を所定位置にガイドしうるガイド部が設けられていることを特徴とする口唇閉鎖矯正具。
【請求項２】
上記ガイド部は、上顎左右中切歯間の正中部に当接しうるように構成されていることを特徴とする請求項１記載の口唇閉鎖矯正具。
【請求項３】
上記ガイド部は、断面略三角形状に形成されると共に、上記口裂保持部の左右方向略中央部に設けられ、上記ガイド部における尖鋭部が、上顎左右中切歯間の正中部と係合しうるように構成されていることを特徴とする請求項１または２記載の口唇閉鎖矯正具。
【請求項４】
上記口裂保持部は、板状に形成され、両面部が口裂において上唇と下唇に保持されうるように構成されていることを特徴とする請求項１〜３のいずれか１項に記載の口唇閉鎖矯正具。
【請求項５】
上記口裂保持部には、厚さ方向に貫通した貫通開口部が設けられていることを特徴とする請求項４記載の口唇閉鎖矯正具。
【請求項６】
上記口裂保持部には、口唇の外面と当接しうる赤唇縁当接部が設けられ、上記赤唇縁当接部は、上記口裂保持部の保持状態が解除された場合に前方に脱落しうるように構成されていることを特徴とする請求項１〜５のいずれか１項に記載の口唇閉鎖矯正具。
【請求項７】
上記赤唇縁当接部は、板状に形成されると共に、一方面が口唇の外面と当接しうるように構成され、上記赤唇縁当接部には、厚さ方向に貫通した貫通小径孔部が設けられていることを特徴とする請求項６記載の口唇閉鎖矯正具。
【請求項８】
上記口裂保持部には、上記口裂保持部が保持された状態で上唇側の粘膜に当接しうる上唇側粘膜当接部が設けられていることを特徴とする請求項１〜７のいずれか１項に記載の口唇閉鎖矯正具。
【請求項９】
上記上唇側粘膜当接部は、上記口裂保持部の後端部において上方に突出して設けられていることを特徴とする請求項８記載の口唇閉鎖矯正具。
【請求項１０】
上記上唇側粘膜当接部は、歯列に合わせて湾曲して形成されていることを特徴とする請求項８または９記載の口唇閉鎖矯正具。
【請求項１１】
上記口唇閉鎖矯正具は、合成樹脂製であることを特徴とする請求項１〜１０のいずれか１項に記載の口唇閉鎖矯正具。